(57)【要約】【課題】中間吹出口から吹出した冷気が開口から庫外に流出することを防ぐために、陳列棚の前面下部に風向板を取り付ける場合、風向板の存在が陳列棚の前方への引き出し機能を妨げることがなく、使い勝手のよいオープンショーケースを得る。【解決手段】断熱壁で形成され前面に商品出入れ用の開口２を設けたショーケース本体１内を仕切板３で商品収納庫４と冷気循環ダクト５とに区画し、前記商品収納庫４内に複数段の陳列棚６を前方にスライド自在に配設し、前記冷気循環ダクト５の途中に庫内側へ冷気を吹出す中間吹出口１０を設けたオープンショーケースにおいて、前記中間吹出口１０から吹出す冷気の流れ方向に位置させて、開口２側に冷気を下方に誘導する風向板１１を上方に回動可能に設けた。【選択図】        図１
2004337229.tif 000002
【特許請求の範囲】
【請求項１】
断熱壁で形成され前面に商品出入れ用の開口を設けたショーケース本体内を仕切板で商品収納庫と冷気循環ダクトとに区画し、前記商品収納庫内に複数段の陳列棚を前方にスライド自在に配設し、前記冷気循環ダクトの途中に庫内側へ冷気を吹出す中間吹出口を設けたオープンショーケースにおいて、前記中間吹出口から吹出す冷気の流れ方向に位置させて、開口側に冷気を下方に誘導する風向板を上方に回動可能に設けたことを特徴とするオープンショーケース。
【請求項２】
前記商品収納庫は、中間吹出口の形成部位よりも上方がホット商品の収納庫に、下方がコールド商品の収納庫に形成される請求項１記載のオープンショーケース。
【発明の詳細な説明】
【０００１】
【発明の属する技術分野】
この発明は、オープンショーケースの特に風向板に関するものである。
【０００２】
【従来の技術】
オープンショーケースは、例えば図３に示すように断熱壁で形成され前面に商品出入れ用の開口２を有するショーケース本体１内を仕切板３で商品収納庫４と冷気循環ダクト５とに区画し、商品収納庫４内に複数段の陳列棚６を前後にスライド自在に配設するものがあり、図示は省略するが、冷気循環ダクト５内に送風機と冷却器とを配設して、図４に示すように商品収納庫４の下方に設けた吸込口７から吸込んだ空気を冷却して冷気として上方の吹出口８から前面の開口２に向けて吹出し、ここに冷気エアカーテンを形成して商品収納庫４内の商品を保冷している。
【０００３】
かかるショーケースにおいて、冷却機能だけでなく、加温機能をも有するものがあり、商品収納庫４内の上半分をホット商品の収納部に、下半分をコールド商品の収納部とすることがある。
【０００４】
このような場合、下半分の庫内の陳列棚６に陳列されているコールド商品を保冷するために、図５に示すように冷気循環ダクト５の途中を、ホット商品の収納部とコールド商品の収納部との境界部位で冷気の流れを遮断する中間仕切板９で仕切るとともに、前記中間仕切板９の形成部位に対応させて冷気を庫内に導く中間吹出口１０を仕切板３に設ける。この中間吹出口１０は、仕切板３に吹出しのための孔や切欠きを適宜設けることで形成する。
【０００５】
そして、下方の収納部に陳列されているコールド商品を保冷するには、庫内の背面側に前記のようにして形成された中間吹出口１０から庫内に向けて冷気を吹出す。
【０００６】
かかる場合、中間吹出口１０から吹出した冷気は、陳列棚６の下面の空間を通って庫内の背面側から前面の開口２に向かって流れるが、図５に示すように開口２からさらに庫外へと流れ、冷気漏れが生じ、冷却不足となる。
【０００７】
そこで、かかる庫外への冷気漏れを防ぐために、図６に示すように陳列棚６の前面下部に例えば側面Ｌ字形の風向板１１を取付けて、中間吹出口１０から吹出し陳列棚６の下面にそって前方に流れる冷気を陳列棚６の前面箇所でこの風向板１１に当てて、冷気の流れを開口２に沿う下向きに変え、冷気が庫外に流出しないようにしている。
【０００８】
前記先行技術は、当業者間で一般的に行なわれているものであり、文献公知発明にかかるものではない。
【０００９】
【発明が解決しようとする課題】
商品収納庫４内の上半分をホット商品の収納部に、下半分をコールド商品の収納部として下方のコールド商品の収納部に中間吹出口１０から庫内に向けて冷気を吹出すようにした場合、図６に示すように商品の補充などのため陳列棚６を前方に引き出したとき、陳列棚６の上に載置されている商品の上部がその上段の陳列棚６に取付けてある風向板１１に当たり、陳列棚６の引き出しが困難になることがある。
【００１０】
この発明の目的は前記従来例の不都合を解消し、中間吹出口から吹出した冷気が開口から庫外に流出することを防ぐために、陳列棚の前面下部に風向板を取り付ける場合、風向板の存在が陳列棚の前方への引き出し機能を妨げることがなく、使い勝手のよいオープンショーケースを提供することにある。
【００１１】
この発明は前記目的を達成するため、請求項１記載の発明は、断熱壁で形成され前面に商品出入れ用の開口を設けたショーケース本体内を仕切板で商品収納庫と冷気循環ダクトとに区画し、前記商品収納庫内に複数段の陳列棚を前方にスライド自在に配設し、前記冷気循環ダクトの途中に庫内側へ冷気を吹出す中間吹出口を設けたオープンショーケースにおいて、前記中間吹出口から吹出す冷気の流れ方向に位置させて、開口側に冷気を下方に誘導する風向板を上方に回動可能に設けたことを特徴とする。
【００１２】
請求項１記載の発明によれば、中間吹出し口から冷気を吹出して庫内の一部をコールド商品の収納部とした状態で、商品補充時などに陳列棚を前方に引き出すとき、その上段の陳列棚の前面下部に取り付けてある風向板を上方に回動する。これにより、上段の陳列棚の下方から風向板が除かれるから、下段の陳列棚を前方に引き出してもこの上に陳列されている商品の上部が風向板にぶつかることがなく、風向板により陳列棚の引き出しが妨げられることがない。
【００１３】
【発明の実施の形態】
以下、図面についてこの発明の実施の形態を詳細に説明する。図１はこの発明のオープンショーケースの縦断側面図、図２は要部である風向板の取付け箇所の側面図で、オープンショーケースの全体構成は図３〜図６について既に説明した従来例と同様であるから、同一の参照符号を付してここでの詳細な説明は省略する。
【００１４】
この発明のオープンショーケースも、冷却機能だけでなく、加温機能をも有するものであり、商品収納庫４内の上半分をホット商品の収納部に、下半分をコールド商品の収納部とするタイプのものであり、下半分の庫内の陳列棚６に陳列されているコールド商品を保冷するために、冷気循環ダクト５の途中を、ホット商品の収納部とコールド商品の収納部との境界部位で冷気の流れを遮断する中間仕切板９で仕切るとともに、この中間仕切板９の形成部位に対応させて冷気を庫内に導く中間吹出口１０を仕切板３に設ける。この中間吹出口１０は、仕切板３に吹出しのための孔や切欠きを適宜設けることで形成する。
【００１５】
また、陳列棚６の前面下部に風向板１１を取付けるが、この風向板１１の構成として、この発明では、図２に示すように細長板状に形成し、上方に跳ね上げ可能なようにその上端を陳列棚６の前面下部に回動自在に軸着した。
【００１６】
そして、下方の収納部に陳列されているコールド商品を保冷するには、庫内の背面側に前記のようにして形成された中間吹出口１０から庫内に向けて冷気を吹出す。
【００１７】
かかる場合、中間吹出口１０から吹出した冷気は、陳列棚６の下面の空間を通って庫内の背面側から前面の開口２に向かって流れるが、陳列棚６の下面にそって前方に流れる冷気は陳列棚６の前面箇所でこの風向板１１に当たって、冷気の流れが開口２に沿う下向きに変わり、冷気が庫外に流出することが阻止されている。
【００１８】
ところで、商品の補充時などに陳列棚６を前方に引き出す場合、その上段の陳列棚６に取り付けてある風向板１１を前方または後方の上方に向けて跳ね上げることで、上段の陳列棚６の前面下部から風向板１１が除かれる。よって、下段の陳列棚６を前方に引き出しても、その上に陳列されている商品が上段の陳列棚６に取付けてある風向板１１にぶつかることがなく、陳列棚６の引き出しがスムーズに行なえる。
【００１９】
下段の陳列棚６の商品の補充が終了すれば、上段の陳列棚６に取付けてある風向板１１を下方に回動して復位させる。
【００２０】
【発明の効果】
以上述べたようにこの発明のオープンショーケースは、断熱壁で形成され前面に商品出入れ用の開口を設けたショーケース本体内を仕切板で商品収納庫と冷気循環ダクトとに区画し、前記商品収納庫内に複数段の陳列棚を前方にスライド自在に配設し、前記冷気循環ダクトの途中に庫内側へ冷気を吹出す中間吹出口を設けたオープンショーケースにおいて、前記中間吹出口から吹出す冷気の流れ方向に位置させて、開口側に冷気を下方に誘導する風向板を上方に回動可能に設けたものである。
【００２１】
これにより、中間吹出し口から冷気を吹出して庫内の一部をコールド商品の収納部とした状態で、商品補充時などに陳列棚を前方に引き出すとき、その上段の陳列棚の前面下部に取り付けてある風向板を上方に回動することができるから、上段の陳列棚の下方から風向板が除かれ、下段の陳列棚を前方に引き出してもこの上に陳列されている商品の上部が風向板にぶつかることがなく、風向板により陳列棚の引き出しが妨げられることがない。
【図面の簡単な説明】
【図１】この発明のオープンショーケースの実施形態を示す縦断側面図である。
【図２】この発明のオープンショーケースの実施形態を示す要部である風向板の縦断側面図である。
【図３】オープンショーケースの斜視図である。
【図４】オープンショーケースの縦断側面図である。
【図５】オープンショーケースのホット部とコールド部に分けた場合の縦断側面図である。
【図６】従来のオープンショーケースの陳列棚引出し時の縦断側面図である。
【符号の説明】
１  ショーケース本体            ２  開口
３  仕切板                      ４  商品収納庫
５  冷気循環ダクト              ６  陳列棚
７  吸込口                      ８  吹出口
９  中間仕切板                  １０  中間吹出口
１１  風向板
【図１】
2004337229.tif 000003
【図２】
2004337229.tif 000004
【図３】
2004337229.tif 000005
【図４】
2004337229.tif 000006
【図５】
2004337229.tif 000007
【図６】
2004337229.tif 000008